(57)【要約】      （修正有）【課題】Ｈ形鋼を穿設すること無く、給餌器又は給水器をＨ形鋼に安定に取付可能で、家畜の成長に合せて取付高さ位置を容易に変えられる、給餌器・給水器の取付具を提供する。【解決手段】下端が後方に略垂直に屈曲されて当接部１ａが形成された略方形状の支持板１，支持板１の背面に横架条設された第１フック２，第１フック２に載置された第２フック３を具えた給餌器・給水器の取付具であって、第１フック２及び第２フック３を螺着用螺子４，４で螺着すると共に、第１フック２の第１係止部に穿設された螺子孔，及び第２フック３の第２係止部に穿設された螺子孔にそれぞれ螺合された固定用螺子２ｆ，３ｆを締めることによって、Ｈ形鋼に安定に固定される。取付用孔に嵌挿された止着材，…で、給餌器又は給水器７を取付ける。【選択図】図２
0003143405.tif 000002
【実用新案登録請求の範囲】
【請求項１】
取付用孔が穿設され、下端が後方に略垂直に屈曲されて当接部が形成された略方形状の支持板，支持板の背面に横架条設された第１フック，第１フックに載置された第２フックを具え、
第１フックは、上下方向の第１貫通孔が穿設された略平板状の第１フック本体，第１フック本体から後方に延出された第１アーム，及び第１アームの後端が内側に略Ｌ字状に屈曲されて形成された第１係止部を有し、
第２フックは、第１貫通孔と対応する位置に上下方向の第２貫通孔が穿設された略平板状の第２フック本体，第２フック本体から後方に延出された第２アーム，第２アームの後端が第１係止部と対向する向きに略Ｌ字状に屈曲されて形成された第２係止部を有し、
第１フックと第２フックが、第１貫通孔及び第２貫通孔に挿通された螺着用螺子で互いに螺着され、
且つ、第１係止部及び第２係止部に前後方向に貫通する螺子孔が設けられ固定用螺子が螺嵌されてなることを特徴とする給餌器・給水器の取付具。
【請求項２】
当接部，第１フック本体及び第２フック本体の後端と、支持板前面の距離が、何れも略等しくされてなることを特徴とする請求項１に記載の給餌器・給水器の取付具。
【考案の詳細な説明】
【技術分野】
【０００１】
本考案は、Ｈ形鋼に給餌器又は給水器を取付けるのに適した、給餌器・給水器の取付具に関する。
【背景技術】
【０００２】
ウシ，ブタ等の家畜の給餌器又は給水器は、一般に、家畜用の柵又は畜舎の柱若しくは壁に取付けることによって、畜舎内に設置される。
【０００３】
例えば、上面が容器の切断端面を被覆する縁取材で縁取りした開口部を有し、側部は背面に厩舎等への取付手段を設けると共に少なくとも前面へ傾斜面を設け、底面最深部付近へ排水口を設けてなる家畜飼育桶が開示されている。前記家畜飼育桶の側部背面には、厩舎等への取付手段として、帯状に補強板を設けると共にこれと背面垂直壁面を貫通してボルト穴を設け、厩舎等の壁面や柵等へボルトによりねじ止めされる（例えば、特許文献１参照）。
【０００４】
また、餌皿を支持するための内板と、ペットケージの網線を挟んで前記内板と対峙する外板と、前記内板に前記外板を締め付け固定するためのネジと、を含むペットケージの餌皿取付構造において、前記外板は、多角形状に形成され、前記内板は、前記外板方向に突き出すストッパ片を備え、前記ストッパ片は、締め付け固定される際に前記外板の何れか１辺と接触して、この外板の回転を阻止するように形成されていることを特徴とするペットケージの餌皿取付構造が開示されている（例えば、特許文献２参照）。
【０００５】
【特許文献１】実開平６−５６公報
【特許文献２】登録実用新案第３０５４３８４号公報
【考案の開示】
【考案が解決しようとする課題】
【０００６】
近年の畜舎には、柱としてＨ形鋼を採用し、Ｈ形鋼間に柵を設けて建築されるものが多い。斯様な畜舎においては、柵又は壁よりも柱の方が、安定に給餌器又は給水器を取付けられる。しかしながら、上記特許文献１に記載の家畜飼育桶を初めとする一般的な家畜用の給餌器又は給水器は、鉛直な背面に設けられた穴に止着材を嵌挿して取付けられるものであって、柱に取付けるためには当該柱に穿孔する必要があり、穿孔によって構造材である柱の強度が低下し畜舎を脆弱化する虞があった。
【０００７】
家畜の成長に合わせて給餌器又は給水器の高さ位置を変更するためには、柵，壁，柱等の構造材を新たに穿孔する必要があり、当該構造材の強度が更に低下する虞があった。
【０００８】
特許文献２に記載のペットケージの餌皿取付構造は、ストッパ片を設けることによって網線に取付け易くされたものであって、当該構造は網線を持つ柵にしか適用できず、Ｈ形鋼には取付けられない。
【０００９】
互いに螺着される内板と外板で網線を挟持して取付けられる構造であるため、家畜用の給餌器又は給水器，及びそれらに入れられた餌や飲料の重力に抗して高さ位置を維持することが困難で、網線に沿って徐々にずれ落ちる虞がある。
【００１０】
上記問題点に鑑み、本考案は、Ｈ形鋼に穿孔すること無く、給餌器又は給水器をＨ形鋼に安定に取付けられる給餌器・給水器の取付具を提供することを課題とする。また、家畜の成長に合せて取付高さ位置を容易に変えられる、給餌器・給水器の取付具を提供することを課題とする。
【課題を解決するための手段】
【００１１】
上記課題を解決する第１の考案は、取付用孔が穿設され、下端が後方に略垂直に屈曲されて当接部が形成された略方形状の支持板，支持板の背面に横架条設された第１フック，第１フックに載置された第２フックを具え、
第１フックは、上下方向の第１貫通孔が穿設された略平板状の第１フック本体，第１フック本体から後方に延出された第１アーム，及び第１アームの後端が内側に略Ｌ字状に屈曲されて形成された第１係止部を有し、
第２フックは、第１貫通孔と対応する位置に上下方向の第２貫通孔が穿設された略平板状の第２フック本体，第２フック本体から後方に延出された第２アーム，第２アームの後端が第１係止部と対向する向きに略Ｌ字状に屈曲されて形成された第２係止部を有し、
第１フックと第２フックが、第１貫通孔及び第２貫通孔に挿通された螺着用螺子で互いに螺着され、
且つ、第１係止部及び第２係止部に前後方向に貫通する螺子孔が設けられ固定用螺子が螺嵌されてなることを特徴とする給餌器・給水器の取付具である。
【００１２】
Ｈ形鋼のフランジの表面側に第１フック本体及び第２フック本体を配置し、第１係止部及び第２係止部をフランジのウェブ側から係止させる様にして、Ｈ形鋼のフランジを第１フックと第２フックの間に収容する。第１貫通孔及び第２貫通孔に螺着用螺子を挿通して第１フック及び第２フックを螺着すると共に、螺子孔に挿通された固定用螺子を締めることによって、本考案の給餌器・給水器の取付具を、Ｈ形鋼に取付け固定する。給餌器又は給水器に設けられた穴及び本考案の取付用孔に止着材を嵌挿し、給餌器又は給水器を本考案に取付ける。
【００１３】
第２の考案は、第１の考案に係る給餌器・給水器の取付具であって、当接部，第１フック本体及び第２フック本体の後端と、支持板前面の距離が、何れも略等しくされてなる。
【考案の効果】
【００１４】
本考案の給餌器・給水器の取付具は、Ｈ形鋼のフランジに係止部を係止し、固定用螺子で螺着することによって、Ｈ形鋼に安定に取付けられる。そして、給餌器又は給水器に設けられた穴と、本考案の取付用孔とに嵌挿された止着材によって、給餌器又は給水器を安定に止着できる。これによって、給餌器又は給水器をＨ形鋼に安定に取付けることができる。
【００１５】
Ｈ形鋼に一切穿孔せずに給餌器又は給水器を取付けられるから、構造材であるＨ形鋼の強度低下が回避される。
【００１６】
固定用螺子を緩めるのみでＨ形鋼に対して摺動自在となり、再度、固定用螺子を締めるのみでＨ形鋼に固定できるから、本考案と給餌器又は給水器の取付高さ位置を容易に変更できる。
【００１７】
第２の考案によれば、当接部，第１フック本体及び第２フック本体の後端がＨ形鋼に当接されるから、給餌器又は給水器が、より安定に固定される。支持板前面が鉛直に維持され、給餌器又は給水器を適切な角度で取付けられる。
【考案を実施するための最良の形態】
【００１８】
以下に、本考案を実施するための最良の形態を、図面を参照して詳細に説明するが、本考案はこれに限定されるものではない。
【００１９】
図１は、本考案の給餌器・給水器の取付具を示す斜視図である。図２は、本考案の給餌器・給水器の取付具を示す背面斜視図である。図３は、本考案の部品を示す図面で、（ａ）は支持板及び第１フックを示す背面斜視図であり、（ｂ）は第２フックを示す背面斜視図である。図４は、本考案の給餌器・給水器の取付具を示す上面図である。図５は、図４のＡ−Ａ線断面図である。また、図６は、図４のＢ−Ｂ線断面図である。
【００２０】
本考案に係る給餌器・給水器の取付具は、図１乃至図６に示される様に、取付用孔１ｂ，…が穿設され、下端が後方に略垂直に屈曲されて当接部１ａが形成された略方形状の支持板１，支持板１の背面に横架条設された第１フック２，第１フック２に載置された第２フック３を具える。
【００２１】
本考案は、剛性を有する材料で作成される。本考案の材質は、剛性を有する材質であれば特に限定されず、例えば鉄，炭素鋼，ステンレス鋼等の剛性を有する金属，ポリメタクリル酸エステル，ポリカーボネート等の剛性を有する合成樹脂，又は木材等が用いられるが、堅牢で長期間の使用に堪える、剛性を有する金属が好適である。
【００２２】
支持板１は、略方形状の金属板の下端を後方に略垂直に屈曲し、当接部１ａを形成することによって作成される。
【００２３】
取付用孔１ｂ，…は、支持板１に前後方向に穿設された、略円形状の貫通孔である。取付用孔１ｂ，…及び給餌器又は給水器７の穴に止着材５，…を嵌挿し、止着することによって、給餌器又は給水器７は本考案に取付けられる。取付用孔１ｂ，…の形状は、止着材５，…を嵌挿可能であれば必ずしも略円形状に限られず、例えば、円形状，楕円形状，任意多角形状であっても良い。
【００２４】
支持板１の背面には、第１フック２が、横架され条設されている。第１フック２は、略垂直に屈曲された末端が支持板１に溶接されて設けられているが、堅牢な構造であれば必ずしもこれに限られず、例えば、屈曲されていない略平らな第１フック２の末端が単に溶接されていても良く、又は、第１フック２が支持板１と一体として作成されていても良い。
【００２５】
第１フック２は、上下方向の第１貫通孔２ｄ，２ｄが穿設された略平板状の第１フック本体２ａ，第１フック本体２ａから後方に延出された第１アーム２ｂ，及び第１アーム２ｂの後端が内側に略Ｌ字状に屈曲されて形成された第１係止部２ｃを有している。
【００２６】
第１アーム２ｂは、第１フック本体２ａの側方端から後方に延出されて設けられているが、後述する第２アーム３ｂとの間にＨ形鋼６のフランジが収容できれば必ずしも側方端に設けられていることに限られず、その位置は特に限定されない。また、必ずしも第１フック本体２ａから垂直に延出されていることに限られず、例えば、斜め内側に向けて延出され設けられていても良い。第１アーム２ｂは、Ｈ形鋼６のフランジの厚みよりも大きければその長さは特に限定されないが、一般的なＨ形鋼６に取付可能とするために、第１フック本体２ａ−第１係止部２ｃ間の距離Ｗ１が、１０ｍｍ以上２０ｍｍ以下とされていることが好ましい。
【００２７】
第1係止部２ｃは、第１アーム２ｂの端部を内側に屈曲して設けられていて、前後方向に貫通する螺子孔２ｅが設けられている。螺子孔２ｅは、六角ナットを第１係止部２ｃの下端に溶接することによって設けられているが、必ずしもこれに限られず、例えば第１係止部２ｃの一部が幅広くされて螺子孔２ｅが穿設されていても良い。螺子孔２ｅの数は必ずしも１に限られず、２以上の螺子孔２ｅ，…が穿設されていても良い。
【００２８】
第２フック３は、第１貫通孔２ｄ，２ｄと対応する位置に上下方向の第２貫通孔３ｄ，３ｄが穿設された略平板状の第２フック本体３ａ，第２フック本体３ａから後方に延出された第２アーム３ｂ，第２アーム３ｂの後端が第１係止部２ｃと対向する向きに略Ｌ字状に屈曲されて形成された第２係止部３ｃを有している。
【００２９】
第２フック本体３ａ後端−支持板１前面間の距離Ｌ３は、図６に示される様に、第１フック本体２ａ後端−支持板１前面間の距離Ｌ２及び当接部１ａ後端−支持板１前面間の距離Ｌ１と略等しくされている。これによって、当接部１ａ，第１フック本体２ａ及び第２フック本体３ａの後端の何れもがＨ形鋼６のフランジに当接されるから、本考案はＨ形鋼６に安定に固定される。また、支持板１の前面がＨ形鋼６のフランジと平行に、即ち鉛直に維持されるから、給餌器又は給水器７を適切な角度で取付けることができる。
【００３０】
第２アーム３ｂは、第２フック本体３ａの側方端から後方に延出されて設けられているが、第１アーム２ｂとの間にＨ形鋼６のフランジが収容可能であれば必ずしも側方端に設けられていることに限られず、その位置は特に限定されない。また、必ずしも第２フック本体３ａから垂直に延出されていることに限られず、例えば、斜め内側に向けて延出されていても良い。第２アーム３ｂは、Ｈ形鋼６のフランジの厚みよりも大きければその長さは特に限定されないが、一般的なＨ形鋼６に取付可能とするために、第２フック本体３ａ−第２係止部３ｃ間の距離Ｗ２が、１０ｍｍ以上２０ｍｍ以下とされていることが好ましい。
【００３１】
第２係止部３ｃは、第２アーム３ｂの端部を内側に屈曲して設けられていて、前後方向に貫通する螺子孔３ｅが設けられている。螺子孔３ｅは、六角ナットを第２係止部３ｃの下端に溶接することによって設けられているが、必ずしもこれに限られず、例えば第２係止部３ｃの一部が幅広くされて螺子孔３ｅが穿設されていても良い。螺子孔３ｅの数は必ずしも１に限られず、２以上の螺子孔３ｅ，…が穿設されていても良い。
【００３２】
螺子孔２ｅには固定用螺子２ｆが、螺子孔３ｅには固定用螺子３ｆがそれぞれ螺嵌されていて、固定用螺子２ｆ，３ｆを締めることによって、本考案はＨ形鋼６に固定される。固定用螺子２ｆ及び固定用螺子３ｆとして六角ボルトを用いているが、本考案をＨ形鋼６に固定可能であれば必ずしもこれに限られず、例えば、六角穴付ボルト，蝶ボルト等任意のボルト，又は頭部にプラス溝若しくはマイナス溝を設けた任意形状の螺子であっても良い。
【００３３】
第１フック本体２ａには上下方向の第１貫通孔２ｄ，２ｄが穿設され、第２フック本体３ａには、第１貫通孔２ｄ，２ｄと対応する位置に、上下方向の第２貫通孔３ｄ，３ｄが穿設されている。第１貫通孔２ｄ，２ｄ及び第２貫通孔３ｄ，３ｄは略円形の断面を有する形状とされているが、後述する螺着用螺子４，４によって第１フック２及び第２フック３が互いに螺着可能であればその形状は限定されず、例えば、円形状，楕円形状，任意多角形状等の任意形状であっても良い。また、穿設される第１貫通孔２ｄ，…及び第２貫通孔３ｄ，…の数は特に限定されないが、第１フック２と第２フック３が安定に固定される様、それぞれ２以上の第１貫通孔２ｄ，…及び第２貫通孔３ｄ，…が穿設されることが好ましい。
【００３４】
螺着用螺子４，４として六角ボルト４ａ，４ａが用いられ、スプリングワッシャー４ｃ，４ｃを介して第２貫通孔３ｄ，３ｄ及び第１貫通孔２ｄ，２ｄに挿通され、六角ナット４ｂ，４ｂと螺合されている。第１フック２及び第２フック３を螺着できれば、必ずしも六角ボルトを用いることに限られず、六角ボルト４ａ，４ａの代りに六角穴付ボルト，蝶ボルト等任意のボルトが用いられていても良く、六角ナット４ｂ，４ｂの代りに六角袋ナット，蝶ナット等任意のナットが用いられていても良い。スプリングワッシャー４ｃ，４ｃの代りに平ワッシャー，ロックワッシャー，ウェーブワッシャー等任意のワッシャーが取付けられていても良く、又はワッシャーが取付けられていなくても良い。また、上方から挿通された螺着用螺子４，４が螺子加工された第１貫通孔２ｄ，２ｄと螺合されていても良く、又は下方から挿通された螺着用螺子４，４が螺子加工された第２貫通孔３ｄ，３ｄと螺合されていても良い。
【００３５】
止着材５，…として、例えば、ボルト，螺子，ピン等が挙げられる。図中では、六角ボルト５ａ，…が、スプリングワッシャー５ｃ，…を介して取付用孔１ｂ，…及び給餌器又は給水器７の穴に嵌挿され、六角ナット５ｂ，…と螺合されているが、これに限定されるものではない。給餌器又は給水器７に予め備え付けられた、止着材５，…を用いることもできる。
【図面の簡単な説明】
【００３６】
【図１】本考案の給餌器・給水器の取付具を示す斜視図である。
【図２】本考案の給餌器・給水器の取付具を示す背面斜視図である。
【図３】本考案の部品を示す図面で、（ａ）は支持板及び第１フックを示す背面斜視図であり、（ｂ）は第２フックを示す背面斜視図である。
【図４】本考案の給餌器・給水器の取付具を示す上面図である。
【図５】図４のＡ−Ａ線断面図である。
【図６】図４のＢ−Ｂ線断面図である。
【符号の説明】
【００３７】
１  支持板
１ａ  当接部
１ｂ  取付用孔
２  第１フック
２ａ  第１フック本体
２ｂ  第１アーム
２ｃ  第１係止部
２ｄ  第１貫通孔
２ｅ，３ｅ  螺子孔
２ｆ，３ｆ  固定用螺子
３  第２フック
３ａ  第２フック本体
３ｂ  第２アーム
３ｃ  第２係止部
３ｄ  第２貫通孔
４  螺着用螺子
４ａ，５ａ  六角ボルト
４ｂ，５ｂ  六角ナット
４ｃ，５ｃ  スプリングワッシャー
５  止着材
６  Ｈ形鋼
７  給餌器又は給水器
【図１】
0003143405.tif 000003
【図２】
0003143405.tif 000004
【図３】
0003143405.tif 000005
【図４】
0003143405.tif 000006
【図５】
0003143405.tif 000007
【図６】
0003143405.tif 000008